【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
コンピュータ装置におけるコンピュータ可読媒体であって、
前記コンピュータ可読媒体は、データベースを含んでおり、かかるデータベースは、複数の治療、複数の薬剤、ならびに、複数のスタンディングオーダー(standing order)を含むようプログラムされており、少なくとも一の前記薬剤は少なくとも一の前記治療に関連づけられ、前記スタンディングオーダーのそれぞれは、プログラム可能な医療ポンプの動作を制御するためのデータを含むこと
を特徴とするコンピュータ可読媒体。
【請求項２】
請求項１のコンピュータ可読媒体において、前記コンピュータ装置は、本質的に、携帯コンピュータ装置、タブレットコンピュータ装置、ならびにデスクトップコンピュータ装置から構成されるグループから選択されること、
を特徴とするコンピュータ可読媒体。
【請求項３】
プログラム可能な医療ポンプ内のコンピュータ可読媒体であって、
前記コンピュータ可読媒体は、データベースを含んでおり、かかるデータベースは、複数の治療、複数の薬剤、ならびに、複数のスタンディングオーダーを含むようプログラムされており、少なくとも一の前記薬剤は少なくとも一の前記治療に関連づけられ、前記スタンディングオーダーのそれぞれは、プログラム可能な医療ポンプの動作を制御するためのデータを含むこと、  
を特徴とするコンピュータ可読媒体。
【請求項４】
患者に対して液体を搬送するプログラム可能なポンプであって、
ポンプ機構と、
前記ポンプ機構を制御するよう構成されるプログラム可能な回路と、
前記プログラム可能な回路と電気的に通信可能なメモリであって、かかるメモリは、一以上の治療、一以上の治療薬、および、少なくとも一の前記治療薬と少なくとも一の前記治療間の関連を記憶するよう構成されたもの、を備えたこと、
を特徴とするポンプ。
【請求項５】
請求項４のポンプにおいて、前記プロセッサは、さらに、
一以上の治療の第一リストであって、前記第一メニュー内の各治療は、前記メモリに記憶された前記治療の一つと対応する第一リストを生成し、
前記第一リストから治療が選択されると、一以上の治療薬の第二リストであって、前記第二リスト内の各治療薬が前記メモリにおいて前記選択された治療に関連付けられている第二リストを生成する、ようプログラムされたこと、
を特徴とするポンプ。
【請求項６】
請求項５のプログラム可能なポンプにおいて、データキーは、少なくとも一の前記治療と少なくとも一の前記治療薬との間を関連づけること、
を特徴とするポンプ。
【請求項７】
請求項５のプログラム可能なポンプにおいて、前記第一リストは、患者自己管理鎮痛法（ＰＣＡ）のための少なくとも一の治療を含むこと、
を特徴とするポンプ。
【請求項８】
請求項５のプログラム可能なポンプにおいて、前記第一リストは、少なくとも一の栄養療法(nutritional therapy)を含むこと、
を特徴とするポンプ。
【請求項９】
請求項５のプログラム可能なポンプにおいて、前記第一リストは、少なくとも一の化学療法(chemotherapy)を含むこと、
を特徴とするポンプ。
【請求項１０】
請求項４のプログラム可能なポンプにおいて、前記メモリは、さらに、前記治療に関するプロトコルを定義するルールを含むスタンディングオーダーテンプレートを記憶するよう構成されること、
を特徴とするポンプ。
【請求項１１】
請求項４のプログラム可能なポンプにおいて、前記スタンディングオーダーテンプレートは、本質的に前記ポンプの動作を定義するルールおよび患者の介護ルールより構成されたグループから選択されたルールを含むこと、
を特徴とするプログラム可能なポンプ。
【請求項１２】
請求項４のプログラム可能なポンプにおいて、前記スタンディングオーダーテンプレートは、前記ポンプ機構の動作を制御するデータを含むこと、
を特徴とするプログラム可能なポンプ。
【請求項１３】
医療ポンプをプログラムする装置であって、
一以上の治療、一以上の治療薬、および、一以上のスタンディングオーダーテンプレートを含むデータベースを備えるメモリと、
プログラム可能な医療ポンプとのデータ通信のために構成されたデータ出力と、および
前記メモリおよび前記データ出力と電気的に通信可能なプロセッサであって、かかるプロセッサは、前記メモリから治療を選択し、かかる治療の選択後、前記メモリから治療薬を選択し、前記選択された治療および前記選択された治療薬に対応するスタンディングオーダーを生成するよう構成されたプロセッサ、を備えたこと、
を特徴とするプログラム可能なポンプ。
【請求項１４】
請求項１３の装置において、前記スタンディングオーダーは、医療ポンプをプログラムするためのデータを含むルールを含んでいること、
を特徴とする装置。
【請求項１５】
請求項１４の装置において、前記プロセッサは、メモリ内に前記生成されたスタンディングオーダーを記憶するよう構成されること、
を特徴とする装置。
【請求項１６】
請求項１５の装置において、さらに、前記出力とデータ通信が可能なプログラム可能な医療ポンプを備え、前記プロセッサは、前記メモリおよび前記プログラム可能な医療ポンプ間の前記スタンディングオーダー を同期させる(synchronize)よう構成されたこと、
を特徴とする装置。
【請求項１７】
請求項１３の装置において、さらに、前記データ出力に接続されるシリアル通信ケーブルを備えたこと、
を特徴とする装置。
【請求項１８】
医療ポンプのプログラム方法であって、
メモリから治療を選択するステップと、
治療を選択した後、搬送のために治療薬を選択するステップと、および
前記医療ポンプの動作を制御するためのデータを含む、スタンディングオーダーを生成するステップと、を備えたこと、
を特徴とする方法。
【請求項１９】
請求項１８の方法において、さらに、プログラム可能な医療ポンプに、前記スタンディングオーダーをダウンロードするステップを備えたこと、
を特徴とする方法。
【請求項２０】
請求項１８の方法において、さらに、データベース内に前記スタンディングオーダーを保存するステップを備えたこと、
を特徴とする方法。
【請求項２１】
請求項２０の方法において、さらに、前記スタンディングオーダーとプログラム可能な医療ポンプを同期させるステップ、を備えたこと、
を特徴とする方法。
【請求項２２】
請求項２０の方法において、さらに、治療を選択する前記ステップ、治療薬を選択する前記ステップ、スタンディングオーダーを生成する前記ステップ、および、前記スタンディングオーダーを保存する前記ステップを繰り返すステップを備え、これにより、複数のスタンディングオーダーのデータベースを生成すること、
を特徴とする方法。
【請求項２３】
請求項２２の方法において、さらに、一以上の前記スタンディングオーダーとプログラム可能な医療ポンプを同期させるステップを備えたこと、
を特徴とする方法。
【手続補正２】
【補正対象書類名】明細書
【補正対象項目名】００１１
【補正方法】変更
【補正の内容】
【００１１】
加えて、ここで述べる本発明の様々な実施形態の論理的な動作は、（１）コンピュータシステム上で動作するコンピュータにより実行されるステップの手順および／又は、（２）前記コンピュータシステム内で相互接続されたマシンモジュールとして実行される。ここで用いられている実施態様は、デスクトップコンピュータ、サーバー、携帯コンピューテイングプラットフォーム、ならびに医療ポンプの性能条件に基づく選択によるものである。したがって、ここで述べられる本発明の実施形態を構成する論理動作は、その代わりに、動作、ステップあるいはモジュールと称される。
【手続補正３】
【補正対象書類名】明細書
【補正対象項目名】００１２
【補正方法】変更
【補正の内容】
【００１２】
図１を参照すると、実施可能である一実施形態は、それにサーバー１０２および複数のコンピュータ１０４が接続されている、ローカルエリアネットワーク等のコンピュータネットワーク１００を含んでいる。一以上のデータベース１０６を含むメモリは、サーバー１０２とデータ通信を行う。ある実施形態において、一以上のデータベース１０６は、スタンディングオーダーデータベース１１４および患者データベース１１６を含んでいる。さらに、携帯情報端末（ＰＤＡ）１０８bやタブレットＰＣ１０８ａなどの携帯コンピューテイングプラットフォーム１０８を、コンピュータ１０４の一つと接続し、情報を一致させるようにしてもよい。他の実施形態において、携帯コンピューテイングプラットフォーム１０８は、無線ネットワークリンクを介して、サ−バとデータ通信を行うことができる。また、携帯コンピューテイングプラットフォーム１０８は、無線周波数（ＲＦ）データリンク又は赤外線データリンク等の有線あるいは無線リンク１１２を介して、医療ポンプ１１０とデータ通信することが可能である。
【手続補正４】
【補正対象書類名】明細書
【補正対象項目名】００１５
【補正方法】変更
【補正の内容】
【００１５】
データベースは、ユーザーが入力可能なデータを定義する、ルールを含むことができる。例えば、１つのルールは、薬剤のアイデンティティーを特定タイプの治療に限定するものである。他のルールは、ポンプの動作パラメーターを、特定の薬剤に限定するものである。さらに他のルールは、特定の治療又は薬剤に対する所定の患者治療のインストラクションを設定するものである。